(57)【特許請求の範囲】
【請求項１】
医用撮像装置を用いて被検者を撮像することにより得られた複数の医用画像を複数の医師が分担して読影できるよう分担先を決定する医用画像処理装置であって、
前記複数の医用画像のうち、分担の対象となる医用画像について解析を行い、解析結果を出力する解析手段と、
前記分担の対象となる医用画像の撮像に用いられた医用撮像装置に関する情報を取得する取得手段と、
特定の病変の読影に対する前記各医師の適性を示す情報と特定の医用撮像装置による撮像により得られた医用画像の読影に対する前記各医師の適性を示す情報とを前記各医師の識別情報と関連付けて記憶する記憶手段と、
前記解析手段による解析結果に病変に関する情報が含まれているか否かを判定する判定手段と、
前記判定手段により前記解析結果に病変に関する情報が含まれていると判定された場合には、前記分担の対象となる医用画像の分担先を、特定の病変の読影に対する各医師の適性を示す情報と前記病変の識別難易度と前記識別情報とに基づいて決定し、前記判定手段により前記解析結果に病変に関する情報が含まれていないと判定された場合には、前記分担の対象となる医用画像の分担先を、特定の医用撮像装置による撮像により得られた医用画像の読影に対する各医師の適性を示す情報と前記医用撮像装置に関する情報と前記識別情報とに基づいて決定する決定手段と
を備えることを特徴とする医用画像処理装置。
【請求項２】
前記特定の病変の読影に対する前記各医師の適性を示す情報は、前記各医師が専門とする被検者の部位を示す情報及び前記各医師の経験年数を示す情報を含み、
前記判定手段は、前記解析結果に病変に関する情報が含まれていると判定した場合、更に、前記識別難易度が所定値以上であるか否かの判定を行い、
前記決定手段は、前記判定手段により前記識別難易度が前記所定値以上であると判定された場合に、前記分担の対象となる医用画像の分担先を、前記記憶手段に記憶された、前記各医師の経験年数を示す情報と前記各医師が専門とする被検者の部位を示す情報と前記識別情報とに基づいて決定し、前記判定手段により前記識別難易度が前記所定値未満であると判定された場合に、前記分担の対象となる医用画像の分担先を、前記記憶手段に記憶された、前記各医師が専門とする被検者の部位を示す情報及び前記識別情報に基づいて決定することを特徴とする請求項１に記載の医用画像処理装置。
【請求項３】
前記決定手段は、前記判定手段により前記識別難易度が前記所定値以上であると判定された場合に、前記分担の対象となる医用画像の分担先を、前記各医師の経験年数を示す情報のうち、最も多い経験年数を示す情報に関連付けられた前記識別情報が示す医師に決定することを特徴とする請求項２に記載の医用画像処理装置。
【請求項４】
前記複数の医用画像のうち、分担の対象となる医用画像に付加された、該医用画像の読影についての時期的制限に関する情報を取得する制限情報取得手段を更に備え、
前記記憶手段は、更に、医用画像の読影可能な時期に関する情報を前記識別情報と関連付けて記憶し、
前記決定手段は、更に、前記時期に関する情報と前記制限情報取得手段により取得された時期的制限に関する情報と前記識別情報とに基づいて、前記対象とする医用画像の分担先を決定することを特徴とする請求項１に記載の医用画像処理装置。
【請求項５】
前記決定手段により決定された分担先ごとに読影すべき医用画像のリストを作成する作成手段を更に備えることを特徴とする請求項１乃至４のいずれか１項に記載の医用画像処理装置。
【請求項６】
前記リストを表示部に表示させる表示制御手段を更に備えることを特徴とする請求項５に記載の医用画像処理装置。
【請求項７】
被検者を撮像することにより得られた複数の医用画像を複数の医師が分担して読影できるよう分担先を決定する医用画像処理装置であって、
前記複数の医用画像のうち、分担の対象となる医用画像について解析を行い、前記医用画像に含まれる病変の識別難易度を含む解析結果を出力する解析手段と、
前記各医師が専門とする被検者の部位を示す情報と前記各医師の経験年数を示す情報と前記各医師の識別情報とを関連付けて記憶する記憶手段と、
前記解析結果に含まれる前記識別難易度が所定値以上の場合、前記分担の対象となる医用画像の分担先を、前記各医師が専門とする被検者の部位を示す情報と前記各医師の経験年数を示す情報と前記識別情報とに基づいて決定し、前記解析結果に含まれる前記識別難易度が所定値未満の場合、前記分担の対象となる医用画像の分担先を、前記各医師が専門とする被検者の部位を示す情報及び前記識別情報に基づいて決定する決定手段と
を備えることを特徴とする医用画像処理装置。
【請求項８】
被検者を撮像することにより得られた医用画像に対して解析を行う解析手段と、
複数の医師から、前記解析手段による解析結果に基づいて前記医用画像の読影を行う医師を決定する決定手段と、を備え、
前記解析結果は病変の有無を示す情報と前記病変の識別難易度を示す情報とを含み、
前記決定手段は、前記病変の有無を示す情報が前記医用画像に病変が含まれていることを示している場合に、前記病変の識別難易度を示す情報に基づいて前記医用画像の読影を行う医師を決定し、前記病変の有無を示す情報が前記医用画像に病変が含まれていないことを示している場合に、前記医用画像の撮像に用いられた医用撮像装置に関する情報に基づいて前記医用画像の読影を行う医師を決定することを特徴とする医用画像処理装置。
【請求項９】
被検者を撮像することにより得られた医用画像に対して解析を行う解析手段と、
複数の医師から、前記解析手段による解析結果に含まれる病変の識別難易度を示す情報に基づいて前記医用画像の読影を行う医師を決定する決定手段と
を備え、
前記解析結果は、病変の有無を示す情報と前記病変の識別難易度を示す情報とを含み、
前記決定手段は、前記病変の有無を示す情報と前記病変の識別難易度を示す情報とに基づいて前記医用画像の読影を行う医師を決定することを特徴とする医用画像処理装置。
【請求項１０】
被検者を撮像することにより得られた医用画像に対して解析を行う解析手段と、
複数の医師から、前記解析手段による解析結果に含まれる病変の識別難易度を示す情報に基づいて前記医用画像の読影を行う医師を決定する決定手段と、
特定の病変の読影に対する前記各医師の適性を示す情報と前記各医師の識別情報とを関連付けて記憶する記憶手段と、を備え、
前記決定手段は、前記病変の識別難易度を示す情報と前記記憶手段に記憶された情報とを用いて前記医用画像の読影を行う医師を決定することを特徴とする医用画像処理装置。
【請求項１１】
被検者を撮像することにより得られた医用画像に対して解析を行う解析工程と、
複数の医師から、前記解析工程における解析結果に含まれる病変の識別難易度を示す情報に基づいて前記医用画像の読影を行う医師を決定する決定工程と
を備え、
前記解析結果は、病変の有無を示す情報と前記病変の識別難易度を示す情報とを含み、
前記決定工程は、前記病変の有無を示す情報と前記病変の識別難易度を示す情報とに基づいて前記医用画像の読影を行う医師を決定することを特徴とする医用画像処理方法。
【請求項１２】
請求項１１記載の医用画像処理方法の各工程をコンピュータに実行させることを特徴とするプログラム。
【請求項１３】
請求項１２に記載のプログラムを格納したコンピュータ読取可能な記憶媒体。
【発明の詳細な説明】
【技術分野】
【０００１】
本発明は、医用画像の読影を支援するための医用画像処理技術に関するものである。
【背景技術】
【０００２】
医療の分野においては、被検者を撮像することにより得られた医用画像のデジタル化が実現されている。これにより、Ｘ線装置、ＣＲ装置、ＣＴ装置、ＭＲＩ装置、ＰＥＴ装置、超音波装置、ＯＣＴ装置等の医用撮像装置を用いて撮像された医用画像をモニタ表示させることが可能となっている。そして、医師は、このモニタ表示された医用画像を読影することで、病変部の状態や経時変化について診断を行っている。なお、ここでいうＣＲとは、Computed Radiographyの略であり、ＣＴとは、Computed Tomographyの略であり、ＭＲＩとは、Magnetic Resonance Imagingの略である。また、ＰＥＴとは、Positron Emission Tomographyの略であり、ＯＣＴとは、Optical Coherence Tomographyの略である。
【０００３】
一方、従来より、読影時の医師の作業負担の軽減を目的として、医用画像を解析し、自動的に病変を検出することが可能なコンピュータ支援診断装置（以下、ＣＡＤと称す）と呼ばれる医用画像処理装置が開発されている。
【０００４】
当該ＣＡＤでは、入力された医用画像に基づいて、癌等を表す異常な腫留陰影や、高濃度の微小石灰化陰影等を病変として検出することができる。このように、医師の読影作業の一部を自動化させることにより、読影時の医師の作業負担を大幅に軽減することができる。
【０００５】
更に、読影精度の向上を目的として、例えば、特開２００６−１３００４９号公報では、ＣＡＤの検出結果に基づいて、悪性度の高い病変が含まれる医用画像から順に読影できるように読影順序を並べ替える構成が提案されている。当該構成によれば、例えば、一日の中で医師の疲労の少ない時間帯に悪性度の高い病変が含まれる医用画像を読影できるよう読影順序を並べ替えることで、病変部の見落としを低減させることができる。
【０００６】
更に、特開２００４−２１６００８号公報では、上述のように悪性度に応じて読影順序を並べ替えることに加え、同じ部位を連続して読影することができるように、読影順序を並べ替える構成が提案されている。当該構成によれば、病変の見落としを更に低減させることが可能となる。
【特許文献１】特開２００６−１３００４９号公報
【特許文献２】特開２００４−２１６００８号公報
【発明の開示】
【発明が解決しようとする課題】
【０００７】
しかしながら、上記各特許文献に開示された発明は、いずれも一人の医師が全ての医用画像を読影することを前提としたものであるである。しかし、一般に病院やセンター等には複数の医師が在籍しており、この場合、これらの医師が複数の医用画像を分担して読影することも少なくない。
【０００８】
ここで、このように複数の医師が在籍している場合、一般に、各々の医師は互いに専門分野が異なっているか、あるいは専門分野が同じであっても、経験年数等に差があるケースが多い。このため、複数の医用画像を各医師にどのように分担するかは、病院やセンター全体の作業効率や、読影精度に大きな影響を与える。
【０００９】
本発明は上記課題に鑑みてなされたものであり、複数の医用画像を複数の医師が分担して読影する場合において、全体の作業効率を向上させるとともに、読影精度の向上を図ることを目的とする。
【課題を解決するための手段】
【００１０】
上記の目的を達成するために本発明に係る医用画像処理装置は以下のような構成を備える。即ち、
医用撮像装置を用いて被検者を撮像することにより得られた複数の医用画像を複数の医師が分担して読影できるよう分担先を決定する医用画像処理装置であって、
前記複数の医用画像のうち、分担の対象となる医用画像について解析を行い、解析結果を出力する解析手段と、
前記分担の対象となる医用画像の撮像に用いられた医用撮像装置に関する情報を取得する取得手段と、
特定の病変の読影に対する前記各医師の適性を示す情報と特定の医用撮像装置による撮像により得られた医用画像の読影に対する前記各医師の適性を示す情報とを前記各医師の識別情報と関連付けて記憶する記憶手段と、
前記解析手段による解析結果に病変に関する情報が含まれているか否かを判定する判定手段と、
前記判定手段により前記解析結果に病変に関する情報が含まれていると判定された場合には、前記分担の対象となる医用画像の分担先を、特定の病変の読影に対する各医師の適性を示す情報と前記病変の識別難易度と前記識別情報とに基づいて決定し、前記判定手段により前記解析結果に病変に関する情報が含まれていないと判定された場合には、前記分担の対象となる医用画像の分担先を、特定の医用撮像装置による撮像により得られた医用画像の読影に対する各医師の適性を示す情報と前記医用撮像装置に関する情報と前記識別情報とに基づいて決定する決定手段とを備える。
【発明の効果】
【００１１】
本発明によれば、複数の医用画像を複数の医師が分担して読影する場合において、全体の作業効率を向上させるとともに、読影精度の向上を図ることが可能となる。
【発明を実施するための最良の形態】
【００１２】
以下、本発明を実施するための最良の形態について図面を用いて詳細に説明する。
【００１３】
［第１の実施形態］
１．医用画像処理システムの構成
図１は、本発明の第１の実施形態にかかる医用画像処理装置を備える、医用画像処理システム１００の構成を示す図である。
【００１４】
図１に示すように、医用画像処理システムは、医用画像処理装置１０１と医用撮像装置１０２と画像データベース１０３とを備え、ネットワーク１０４を介して互いに通信可能に接続されている。
【００１５】
医用撮像装置１０２は、被検者（患者）を撮像し医用画像を生成する装置であり、Ｘ線装置、ＣＲ装置、ＣＴ装置、ＭＲＩ装置、ＰＥＴ装置、超音波診断装置、ＯＣＴ装置等が含まれる。
【００１６】
画像データベース１０３は、医用撮像装置１０２にて撮像された医用画像に付帯情報を付加して保存する。付帯情報には、、撮像モダリティ、撮像日時、緊急度、読影期限、検査目的、撮像部位、既往症、年齢、性別、喫煙歴、所見、主訴、検査結果、病院名、患者の氏名・生年月日などが含まれる。
【００１７】
医用画像処理装置１０１は、医用撮像装置１０２にて撮像された医用画像や画像データベース１０３に保存された医用画像を表示するとともに、表示された医用画像に基づいて医師が読影した結果を文字情報として入力し、レポートを作成するための装置である。
【００１８】
２．医用画像処理装置１０１のハードウェア構成
図２は医用画像処理装置１０１のハードウェア構成を示した図である。図２に示すように、医用画像処理装置１０１は、構成要素として、ＣＰＵ（中央演算処理装置）２０１、入力装置２０３、表示装置２０４、メモリ２０２、ディスク２０５を備える。
【００１９】
ＣＰＵ２０１は、各種制御プログラムを実行するとともに、医用画像処理装置１０１の各構成要素の動作を制御する。入力装置２０３は医師によるポインティング入力及び文字等の入力を受け付ける。表示装置２０４は、ＣＰＵ２０１による各種制御プログラムの実行結果を表示する。表示装置２０４には、例えばＣＲＴモニタや液晶モニタ等が含まれる。
【００２０】
メモリ２０２は、所定の制御プログラムを格納したり、制御プログラム実行時に作業領域を提供したりする。ディスク２０５は、オペレーティングシステム（ＯＳ）２０６、周辺機器のデバイスドライブ２０７、ならびに本発明に係る医用画像処理方法を実現するための制御プログラム（「医用画像処理プログラム」２０８と称す）等の各種制御プログラムを格納する。
【００２１】
３．医用画像処理プログラム２０８の全体機能ブロック
図３は、医用画像処理プログラム２０８により実現される機能を示した機能ブロック図である。図３に示すように、医用画像処理プログラム２０８は、画像データベース１０３に保存された医用画像の解析を行う画像解析部３０１と、読影を行う医師（読影医）を登録する登録部３０２と、読影医の情報を管理する管理部３０３とを備える。
【００２２】
また、画像解析部３０１における解析結果と管理部３０３により管理された読影医の情報とに基づいて、読影すべき複数の医用画像を各読影医に分担するための分担先を決定する選択部３０４を備える。選択部３０４では、更に、各読影医に分担された医用画像に対応する患者ＩＤを配列した患者リストを作成する。
【００２３】
医用画像処理プログラム２０８は、更に、選択部３０４で生成された各読影医ごとの患者リストをディスク２０５内に記憶する記憶部３０５と、該患者リストを表示装置２０４に表示するための出力部３０６を備える。以下、各部の詳細について説明する。
【００２４】
４．画像解析部
画像解析部３０１は、医用画像を解析し、臓器領域および／或いは病変検出を行う（病変確率、悪性度、識別難易度、医学的重要度などの病変に関する情報を解析結果として出力する）。
【００２５】
４．１  臓器領域の検出
臓器領域の検出とは、例えば胸部ＣＴ画像の場合、肺野、横隔膜、気管支、肺動脈、肺静脈などの領域を検出することをいう。更に、検出した肺野を、上葉、中葉、下葉、の各区域に分類することも含む。ただし、検出する臓器領域の種類はこれに限定されるものではない。
【００２６】
なお、医用画像から臓器領域を検出するための方法としては種々の方法が挙げられるが、本実施形態では、例えば動的輪郭法の一種であるレベルセット法を用いるものとする。レベルセット法の場合、検出対象とする臓器領域の次元よりも一次元高いレベルセット関数を定義し、検出対象とする臓器領域をそのゼロ等高線であるとみなす。そして、レベルセット方程式と呼ばれる以下の発展方程式に基づいてこの関数を更新することで、輪郭を制御し臓器領域を検出する。
【００２７】
φｔ＋Ｆ｜Ｖφ｜＝０
ここで、φｔはレベルセット関数を時間軸方向に１次微分した値、Ｆは輪郭の成長速度、｜Ｖφ｜はレベルセット関数の勾配の絶対値を表している。このようにして、医用画像から臓器領域が検出される。
【００２８】
なお、臓器領域を検出するための方法はレベルセット法に限定されるものではなく、例えば、閾値処理による方法、領域拡張法、動的輪郭法、クラスタ化による方法、グラフ最小切断法などを用いてもよい。あるいはその他の方法を用いてもよい。
【００２９】
また、これらの方法を、検出対象とする臓器領域に応じて切り替えて使用するようにしてもよい。
【００３０】
更に、臓器領域の検出にあたっては、画像特徴量のみを使用するのではなく、確率アトラスや人体形状モデルなどを利用するようにしても良い。
【００３１】
４．２  病変検出
臓器領域から病変検出を行うにあたり、画像解析部３０１では、まず、フィルタ処理や、パターンマッチング処理あるいは過去画像または平均形状画像等と医用画像とのレジストレーション処理等を行い、差分を検出することで、異常部を検出する。
【００３２】
具体的には、フィルタ処理では、形状を考慮したフィルタやこう配ベクトルの向きを考慮したフィルタなどを用いる。
【００３３】
そして、これらの処理のいずれか、あるいはその他の処理を用いて、異常部を検出し特徴量を抽出する。
【００３４】
なお、このとき抽出される特徴量としては、ＣＴ値平均、ＣＴ値分散・標準偏差、ＣＴ値最大・最小、コントラスト、エネルギー、エントロピー等の、画素値に基づく特徴量が挙げられる。また、円形度、表面積、体積、球形度、不規則度、平均曲率、主曲率、ガウス曲率、最大径等の、形状に基づく特徴量が挙げられる。本実施形態では、上述した特徴量の少なくとも一つ、或いはその組み合わせが抽出されるものとする。
【００３５】
画像解析部３０１では、更に、検出した異常部が病変であるのか否か（病変確率）、病変である場合には病変の種類、さらには、病変の良悪を分類するための悪性度ならびに医学的重要度を識別するための処理を行う。
【００３６】
なお、ここでは検出した異常部が病変であるのか否か、あるいは病変の悪性度（良性か悪性か）及び識別難易度を識別するための処理を、最小二乗法とベイズ決定則を用いて行う場合について、図４を用いて説明する。識別する悪性度のクラスは、クラスω１とクラスω２とし、図４（ａ）の特徴空間及び図４（ｂ）の判別空間を用いて説明する。
【００３７】
入力されたあるパターンｘ（対象とする医用画像の特徴量）は、最適写像ｙｉ＊＝Φ＊（ｘｉ）により第ｉ成分をクラスωｉのベイズ事後確率とするベイズ確率ベクトルに移される。
【００３８】
特徴空間でのベイズ境界は、（ｃ−１）次元では単純な重心分割境界となり、判別空間では単純な線形識別境界となる。ｔｉは判別空間における各クラスの代表点である。判別平面上でｙ＊とｔｉとの二乗距離は、下式のようになる。
【００３９】
Ｄｉ＝||ｙ＊−ｔｉ||２＝||ｙ＊||−２Ｐ（ωｉ｜ｘ）＋１
このため、ｙ＊とｔｉとの二乗距離が最小となるクラスを選択すれば、入力されたパターンｘがどのクラスに属するかを識別することが出来る。
【００４０】
入力されたパターンｘとクラスωｉとの距離をＤ１、クラスω２との距離をＤ２とすると、尤度比を用いてベイズ境界との距離を求めることが出来る。ここで、尤度比はＤ１／Ｄ２で表現される。つまり、尤度比が大きいほどクラスω２に属する確率が高くなり、尤度比が小さいほどクラスω１に属する確率が高くなる。また、１に近いほどベイズ境界に近くなる。ベイズ境界に近いパターンｘは画像解析部３０１の誤識別の可能性もありうる。また、読影医が読影を行う場合に判断が困難である可能性があるため、ベイズ境界から一定の距離内にある病変を含む医用画像にはフラグを設定し、識別困難であるとする。ここでは、例えば、識別困難である尤度比の閾値Ｔｈを０．９＜Ｔｈ＜１．１と設定する。
【００４１】
このようにして、医用画像から抽出した特徴量を用いて識別処理を行うことが出来る。なお、ここでは識別処理として、最小二乗法とベイズ決定則を用いて行う場合について説明したが、本発明はこれに限定されない。例えば、線形判別法、サポートベクターマシン、ＡｄａＢｏｏｓｔ、ニューラルネットワークなどを用いてもよい。
【００４２】
５．登録部
次に、登録部３０２について説明する。登録部３０２では、画像解析部３０１の解析結果に基づいて医用画像を分担して読影する読影医の登録ならびに読影医情報の登録を行う。読影医の登録は、読影医が医用画像の読影を行う際に、医用画像処理装置１０１にログインすることにより行われる。登録した読影医の削除は、医用画像処理装置１０１からのログアウトすることにより行われる。
【００４３】
一方、読影医情報の登録は、事前に登録することも、読影中に登録することも、或いは学習によって登録することもできるものとする。また、登録は本人、或いは権限を持った第三者が出来るように構成されているものとする。なお、読影医情報の登録は、例えば、別に備えた記憶端末にアクセスして読影医情報を取得することにより登録できるようにしても良い。
【００４４】
６．管理部
次に、管理部３０３について説明する。登録部３０２で登録された読影医情報は、管理部３０３により管理される。読影医情報は、読影医が医用画像処理装置１０１からログアウトした後であっても、管理部３０３により読影医のＩＤ情報と共にディスクに記録されている。
【００４５】
管理部３０３で管理される読影医情報は、選択部３０４が医用画像を各読影医に分担する際の分担先の決定に用いられる。
【００４６】
図５は、管理部３０３において管理される読影医情報の一例を示す図である。図５に示すように、読影医情報には、読影医の得意とするモダリティ（特定の医用撮像装置により得られた医用画像の読影に対する各読影医の適性を示す情報）が含まれる。また、読影医の専門分野や、得意とする部位・疾病、経験年数、役職など、特定の病変の読影に対する各読影医の適性を示す情報が含まれる。
【００４７】
７．  選択部
次に、選択部３０４における処理の流れについて図６のフローチャートを用いて説明する。ステップＳ６０１では、解析結果として画像解析部３０１が検出した臓器領域、病変確率、病変の種類、識別難易度、悪性度、医学的重要度の少なくとも一つ、或いはそれらの組み合わせを取得する。
【００４８】
ステップＳ６０２では、医用画像の付帯情報として、撮像モダリティ（医用画像装置に関する情報）、撮像日時、緊急度、読影期限（時期的制限に関する情報）、検査目的、撮像部位、既往症、年齢、性別、喫煙歴、所見、主訴、検査結果を取得する。なお、取得する付帯情報は、これらのうちの少なくとも一つ、或いはそれらの組み合わせであるものとする。
【００４９】
ステップＳ６０３では、管理部３０３から、現在読影を行っている読影医についての読影医情報を取得する。読影医情報には、読影医の専門分野や得意とするモダリティ、得意とする部位・疾病、経験年数、役職のうちの少なくとも一つ、或いはそれらの組み合わせが含まれる。
【００５０】
ステップＳ６０４では、記憶部３０５から、現在読影を行っている読影医の読影進行状況に関する情報を取得する。読影進行状況に関する情報には、患者リストに溜まっている患者数、１患者の医用画像を読影するのに要する読影時間の平均値・最大値・最小値の少なくとも一つ、或いはそれらの組み合わせが含まれる。
【００５１】
ステップＳ６０５では、ステップＳ６０１からステップＳ６０４において取得した情報に基づいて、分担の対象とする医用画像について読影医を決定する。なお、分担の対象とする医用画像について読影医を決定するための処理（読影医決定処理）の詳細は、後述する。
【００５２】
ステップＳ６０６では、ステップＳ６０５における読影医決定処理の結果に基づいて、各読影医毎に、振り分けられた医用画像に対応する患者を一覧表示するための患者リストを作成する（患者リスト作成処理）。なお、患者リスト作成処理の詳細は、後述する。
【００５３】
７．１  読影医決定処理（ステップＳ６０５）の詳細その１
図７（ａ）は、読影医決定処理（ステップＳ６０５）の詳細な処理の流れを示すフローチャートである。ステップＳ７０１では、分担の対象となる医用画像について、画像解析部３０１において病変が検出されているか否かを判定する。
【００５４】
ステップＳ７０１において、病変が検出されていないと判定された場合には、ステップＳ７０２に進み、分担の対象となる医用画像を、対応するモダリティが設定された一般の読影医に振り分ける。
【００５５】
一方、ステップＳ７０１において、病変が検出されていると判定された場合には、ステップＳ７０３に進み、当該病変が画像解析部３０１において識別困難な病変であると判定されているか否かを判定する。
【００５６】
ステップＳ７０３において、識別困難な病変であると判定されていた場合には、ステップＳ７０４に進み、分担の対象となる医用画像を、対応する専門の熟練の読影医に振り分ける。
【００５７】
一方、ステップＳ７０３において、識別困難な病変ではないと判定されていた場合には、ステップＳ７０５に進み、分担の対象となる医用画像を、対応する専門の読影医に振り分ける。
【００５８】
このようにして読影医決定処理を行うことにより、分担の対象となる医用画像が適切な読影医に振り分けられることとなる。
【００５９】
なお、上記読影医決定処理の具体例について図５の読影医情報の一例と対応付けながら説明すると以下のようになる。
【００６０】
例えば、胸部ＣＴ画像において、肺癌が検出され、画像解析部３０１で識別困難でないと判定されていた（フラグが設定されていなかった）場合には、病変が検出された部位を専門とする読影医として、読影医１〜３が選択される。
【００６１】
一方、胸部ＣＴ画像において、肺癌が検出され、画像解析部３０１で識別困難であると判定されていた（フラグが設定されていた）場合には、病変が検出された部位を専門とする熟練の読影医として、読影医１が選択される。
【００６２】
一方、胸部ＣＴ画像において、病変が検出されていなかった場合は、当該医用画像を撮像したモダリティを読影医情報に設定している読影医として、読影医１〜４が選択される。
【００６３】
７．２  読影医決定処理（ステップＳ６０５）の詳細その２
図７（ｂ）は、読影医決定処理のその他の詳細な処理の流れを示すフローチャートである。ステップＳ７１１では、分担の対象となる医用画像より、画像解析部３０１において病変が検出されているか否かを判定する。
【００６４】
ステップＳ７１１において、病変が検出されていないと判定された場合には、ステップＳ７１２に進み、分担の対象となる医用画像を、モダリティが設定された一般の読影医に振り分ける。
【００６５】
一方、ステップＳ７１１において、病変が検出されていると判定された場合には、ステップＳ７１３に進み、当該病変が、医学的重要度の高い病変であるか否かを判定する。医学的重要度とは、命に関わる可能性が高いか否かを示す度合いであり、命に関わる可能性が高い病変は医学的重要度が高い病変であると判定される。
【００６６】
ステップＳ７１３において、医学的重要度が高い病変であると判定された場合には、ステップＳ７１４に進み、分担の対象となる医用画像を、専門の熟練の読影医に振り分ける。
【００６７】
一方、ステップＳ７１３において、医学的重要度の低い病変であると判定された場合には、ステップＳ７１５に進み、分担の対象となる医用画像を、専門の読影医に振り分ける。
【００６８】
このようにして読影医決定処理を行うことにより、分担の対象となる医用画像が適切な読影医に振り分けられることとなる。
【００６９】
なお、上記読影医決定処理の具体例について図５の読影医情報の一例と対応付けながら説明すると以下のようになる。
【００７０】
例えば、胸部ＣＴ画像において、肺癌が検出された場合には、読影医１、あるいは読影医３が選択される。
【００７１】
一方、胸部ＣＴ画像において、肺炎が検出されていた場合には、読影医２が選択される。一般に、肺炎と肺癌では、肺癌の方が医学的重要度が高く、良性と悪性では悪性の方がさらに医学的重要度は高いからである。
【００７２】
７．３  患者リスト作成処理（ステップＳ６０６）の詳細
図８は、読影医毎に設定する患者リストの一例を示す図である。患者リストは、読影医と振り分けられた医用画像ＩＤとの対応関係を、読影する順序に配列したリストである。患者リストは、読影医情報に基づいて作成されるため、読影医毎に異なる。
【００７３】
患者リストに配列された医用画像に対応する患者ＩＤの順序は、医用画像の付帯情報と画像解析部３０１における解析結果をそれぞれ読影医情報と比較することでスコアを算出し、該算出されたスコアに基づいて決定される。
【００７４】
具体的には、緊急度や識別難易度、病変の医学的重要度等に応じて、スコアにプラスのポイントが付与される。
【００７５】
そして、算出されたスコアが高い医用画像に対応する患者ＩＤほど、患者リストの上位に配列される。例えば、胸部ＣＴ画像で肺癌が検出された場合と、胸部ＣＴ画像で肺炎が検出された場合とでは、肺癌が検出された医用画像に対応する患者ＩＤの方が患者リストの上位に配列される。
【００７６】
なお、スコアの算出に際しては、読影医の経験や役職に応じてプラスするポイントに重み付けをし、熟練の読影医ほどポイントが高くなるように構成してもよい。それにより、複数の読影医に同じ医用画像が振り分けられた場合において、一般の読影医より、熟練の読影医の方が患者リストの上位に設定されるので、より専門性の高い読影医に、識別困難な病変が含まれる医用画像を読影させることが可能となる。
【００７７】
なお、図８の例では、読影医２と読影医３の患者リストの下位に、ともに患者Ｘと患者Ｙが配列されている。これは、熟練医以外の読影医に同じ医用画像を配列した例である。この場合、どちらかの読影医が先に読影を行えば、患者Ｘ、Ｙは他の読影医の患者リストからは削除されるものとする。
【００７８】
このように、患者リストの順序は一度決定されても、それで固定されるものではなく、読影医の読影進行状況に応じて患者リストの順序を入れ替えるように構成されているものとする。当該構成によれば、例えば、緊急度が高い医用画像が、期限となっている時刻の一定時間前までに、読影が開始されていなかった場合には、当該医用画像に対応する患者ＩＤを患者リストの上位に順序を入れ替えるといった制御を行うことが可能となる。
【００７９】
８．記憶部
次に、記憶部３０５について説明する。記憶部３０５では、選択部３０４で作成された読影医ごとの患者リストを記憶する。記憶部３０５は、特定の読影医のみに振り分けられた医用画像と、多数の読影医に振り分けられた医用画像についてディスク２０５に記憶しておく。多数の読影医に振り分けられた医用画像については、最初に誰かが読影を行えば、他の読影医の患者リストからは削除される。
【００８０】
９．出力部
次に、出力部３０６について説明する。出力部３０６では、選択部３０４において作成された患者リストの順序で医用画像を表示装置２０４に表示する。なお、患者リストは、読影医や第三者が読影順序を確認出来るように表示しても良いし、表示せずに内部に記憶しておくようにしても良い。
【００８１】
表示される患者リスト、或いは医用画像には、特定の読影医にしか振り分けられていない医用画像と、多数の読影医に振り分けられている医用画像とで、違いが分かるようにマークが表示される。
【００８２】
また、緊急度や読影期限が設定されている医用画像についても、違いが分かるようにマークが表示されるものとする。
【００８３】
図９は、出力部３０６により表示装置２０４に表示された患者リストの一例を示す図である。図９の例では、患者リスト上で、多数の読影医に振り分けられている医用画像に対応する患者ＩＤには違いがわかるようにマークが表示される。なお、マークの形状や色は、特にこれに限定されるものではなく、他との違いが認識出来るものであれば何でも良い。
【００８４】
なお、患者リストの表示方法は、図９に示すように、読影医毎に医用画像に対応する患者ＩＤを読影順に並べて表示しても良いし、図１０に示すように、医用画像に対応する患者ＩＤに読影医ＩＤを並べて表示しても良い。このように表示することで、各患者を担当する、或いは担当した読影医の一覧を確認することが可能となる。
【００８５】
各患者を担当する予定の読影医を並べて表示する場合には、選択部３０４において決定された読影医の順序で並べても良いし、役職や経験などの読影医情報に基づいて並べても良い。
【００８６】
医用画像は、ＣＲＴ、液晶ディスプレイ、プラズマディスプレイ等に出力される。また、患者リストは、ＣＲＴ、液晶ディスプレイ、プラズマディスプレイ等の表示装置２０４に表示されても良いし、不図示のプリンタを用いて紙媒体に印刷して出力されても良い。なお、図２に示した出力部３０６は、複数あっても良い。
【００８７】
以上の説明から明らかなように、本実施形態にかかる医用画像処理装置では、画像解析部３０１における医用画像の解析結果と管理部３０３にて管理される読影医情報とに基づいて、医用画像を読影する際の分担先を決定する構成とした。
【００８８】
この結果、複数の読影医で分担して読影を行う際の、全体の作業効率を向上させることができるとともに、読影精度を向上させることが可能となった。
【００８９】
［第２の実施形態］
上記第１の実施形態では、画像解析部３０１において識別困難であると判定された（フラグが設定されている）医用画像を、熟練の読影医か、或いは病変が検出された部位を専門としている専門の読影医に振り分けることとした。
【００９０】
しかしながら、本発明はこれに限定されず、例えば、識別困難な医用画像が教育目的のために研修医や若手の読影医に振り分けられるように構成してもよい。あるいは、研修医などを指導する立場である指導医に対して、研修医が読影を行った医用画像が自動的に振り分けられるように構成してもよい。
【００９１】
また、上記第１の実施形態では、画像解析部３０１において病変が検出されなかった医用画像を、対応するモダリティが設定された一般の読影医に振り分けることとした。
【００９２】
しかしながら、本発明はこれに限定されない。例えば、研修医や若手の読影医が、得意とする部位や得意とするモダリティを設定できないように構成し、研修医や若手の読影医に、病変が検出されなかった医用画像を全て読影させるようにしても良い。
【００９３】
また、上記第１の実施形態では、読影医情報として登録された情報を同列に扱うこととしたが、本発明はこれに限定されず、例えば、優先順位が設定出来るように構成し、読影医情報として登録された情報に重みをつけて取り扱うようにしてもよい。
【００９４】
具体的には、例えば、モダリティでは、ＣＴ画像を“１”、ＭＲＩ画像を“２”と設定し、得意とする部位では、胸部を“１”、腹部を“２”、頭部を“３”などと設定する。そして、優先順位が設定されている場合、当該優先順位に応じて重みを設定する。
【００９５】
なお、上記優先順位の設定は一例であり、これ以外に、胸部や腹部といった分類のもとで優先順位の設定を行っても良いし、あるいは、胸部の場合には肺を“１”、心臓を“２”といったように、詳細に優先順位の設定を行ってもよい。
【００９６】
このように、本実施形態にかかる医用画像処理装置は、解析結果と読影医情報とに基づいて、医用画像を最適に振り分けることを基本とし、その際の設定基準は病院やセンターごとの診断基準に基づいて、任意に設定出来るよう構成されているものとする。
【００９７】
また、上記第１の実施形態では、読影医決定処理において患者リストを作成し、それに基づいて読影を行うこととしたが、本発明はこれに限定されず、読影中に患者リストの読影順序を動的に変更できるするように構成しても良い。
【００９８】
例えば、研修医と指導医とでダブルリーディングを行う場合においては、研修医が読影を行った後に、指導医が読影を行うのが望ましい。そのため、研修医が読影を終了した時点で、指導医の患者リストに、研修医が読影を行った医用画像に対応する患者ＩＤを自動的に追加するように構成してもよい。
【００９９】
図１１にその一例を示す。図１１（ａ）は研修医である読影医２が患者Ｇの医用画像の読影を行う前の患者リストを示している。図１１（ｂ）は、読影医２が患者Ｇの医用画像の読影終了後に、指導医である読影医１の患者リストに患者Ｇが追加された例を示している。
【０１００】
また、他の例として、読影を途中で終了した場合、或いは読影進行状況が滞っている場合には、特定の読影医に振り分けられた医用画像を、他の読影医に振り分け直すことが必要となってくる。そのため、このような場合には、当該医用画像に対応する患者ＩＤを、熟練或いは専門の読影医の患者リストに追加するように構成してもよい。なお、この場合、特定の読影医以外に振り分けられていた場合には、追加する処理は行わないように構成してもよい。
【０１０１】
［第３の実施形態］
上記第１及び第２の実施形態では、画像解析部における解析結果と読影医情報とに基づいて、読影精度向上の観点から医用画像を最適な読影医に振り分ける構成とした。
【０１０２】
しかしながら、本発明はこれに限定されず、医用画像の付帯情報と読影医のスケジュール情報とに基づいて、読影タイミングの最適化の観点から医用画像を読影医に振り分けるように構成してもよい。以下、本実施形態の詳細について説明する。
【０１０３】
なお、本実施形態における医用画像処理装置のハードウェア構成は、上記第１の実施形態と同じであるため、ここでは説明を省略する。また、医用画像処理プログラムが実行されることにより実現される機能のうち、管理部と選択部を除く各部の機能は、上記第１の実施形態と同じであるため、ここでは説明を省略する。以下、管理部と選択部における処理について、上記第１の実施形態との差異点を中心に説明する。
【０１０４】
１．管理部
まず、管理部について説明する。図１２は管理部３０３が管理している読影医情報の一例を示す図である。管理部３０３では、読影医情報として、読影医のタイムスケジュール（医用画像の読影可能な時期に関する情報）も合わせて管理する。タイムスケジュールには、読影医が読影を行う日時が設定されている。なお、タイムスケジュールは１日単位で自動的に更新されるように構成しても良いし、数日分がまとめて更新されるように構成しても良いものとする。
【０１０５】
２．選択部
次に、選択部３０４の処理について図１３のフローチャートを用いて説明する。ステップＳ６０１からステップＳ６０３は、第１の実施形態（図６）と同様である。
【０１０６】
ステップＳ１３０４では、選択部３０４は、管理部３０３により登録されている読影医のタイムスケジュールを取得する。
【０１０７】
ステップＳ１３０５では、選択部３０４は、取得した解析結果と読影医のタイムスケジュールとから、分担の対象とする医用画像を読影する読影医を決定する。
【０１０８】
ステップＳ６０６では、ステップＳ１３０５における読影医決定処理の結果に基づいて、各読影医毎に、振り分けられた医用画像に対応する患者を一覧表示するための患者リストを作成する。
【０１０９】
２．１  読影医決定処理（ステップＳ１３０５）の詳細
図１４は、読影医決定処理の詳細な処理の流れを示すフローチャートである。ステップＳ１４０１では、医用画像の付帯情報に緊急度が設定されているか否かを判定する。ステップＳ１４０１において、緊急度が設定されていると判定された場合には、ステップＳ１４０２に進み、現在読影中の読影医の中から振り分ける読影医を決定する。
【０１１０】
一方、ステップＳ１４０１において、緊急度が設定されていないと判定された場合には、ステップＳ１４０３に進み、医用画像の付帯情報に読影期限が設定されているか否かを判定する。
【０１１１】
ステップＳ１４０３において、読影期限が設定されていると判定された場合には、ステップＳ１４０４に進み、読影期限中に読影を行う読影医の中から振り分ける読影医を決定する。
【０１１２】
一方、緊急度及び読影期限の両方が設定されていない場合には、ステップＳ１４０５に進み、設定時間以内に読影を行う予定の読影医の中から決定する。ここで、設定時間は病院や読影センター毎に設定できるものとし、例えば、６時間、１２時間、２４時間以内などと設定出来るものとする。
【０１１３】
以上の説明から明らかなように、本実施形態では、医用撮像装置によって得られた医用画像に付加された付帯情報と、読影医の読影についてのタイムスケジュールとに基づいて、複数の医用画像を最適な読影医に振り分けることとした。この結果、複数の医用画像を複数の読影医で読影するにあたり、最適な読影タイミングで読影を行うことが可能となる。
【０１１４】
［第４の実施形態］
上記各実施形態では、複数の医用画像を複数の読影医に振り分ける場合の振り分けを最適化するための処理について説明したが、本発明はこれに限定されず、各読影医に最適に振り分けられた医用画像の読影順序を最適化するように構成してもよい。
【０１１５】
図１５は、本実施形態にかかる医用画像処理プログラムにより実現される機能を示した機能ブロック図である。図３との差異点は、新たに画像順序設定部１５０６が追加された点である。以下、画像順序設定部の処理について説明する。
【０１１６】
画像順序設定部１５０６では、読影医の設定した条件で、患者リストの読影順序を設定する。例えば、読影医は、識別難易度順、悪性度順、読影期限順、撮像時刻順、モダリティ別、撮像部位別、病変検出部位別、ランダム、のいずれかから読影順序を指定することが出来る。
【０１１７】
図１６に読影医の設定によって、並べ変わる患者リストの例を示す。図１６（ａ）は、医用画像処理装置１０１が自動的に設定した患者リストの例で、図１６（ｂ）は、読影医の設定によって読影順序が並べ変わった後の患者リストの例である。
【０１１８】
識別難易度順では、画像解析部３０１の識別結果から、クラス間のベイズ境界に近いパターン順に患者リストを並べ替える。
【０１１９】
また、悪性度順では、画像解析部３０１で悪性度の識別を行った際の、クラスω１を悪性クラスとすると、尤度比が大きい順に並べ替える。
【０１２０】
また、読影期限順では、医用画像の付帯情報に読影期限が設定されていた場合に、読影期限の残り時間が短い順に並べ替える。また、撮像時刻順では、医用画像が各モダリティで撮像された時刻の順序で並べ替える。また、モダリティ別は、Ｘ線装置、ＣＴ装置、ＭＲＩ装置などの撮像モダリティ別に順序を並べ替える。
【０１２１】
また、撮像部位別は、胸部、乳房、腹部などの撮像部位別に順序を並べ替える。また、病変検出部位別は、画像解析部３０１で病変が検出された部位毎に順序を並べ替える。つまり、医用画像の撮像範囲が胸部だった場合には、肺に病変を検出した医用画像と、心血管系に病変を検出した医用画像とではそれぞれ別々に並べ替える。なお、上記並べ替えは、いずれも昇順、降順の設定ができるものとする。
【０１２２】
ただし、その場合であっても、医用画像処理装置が特定の読影医のみに設定した医用画像に対応する患者ＩＤについては患者リストの上位に配列されるものとする。例えば、図１２の読影医３の場合、タイムスケジュールが１３：００〜１５：００に設定されているので、その時間内にしか読影をすることが出来ない。そのため、選択部３０４では、特定の読影医のみに設定した医用画像を時間内に読影出来るように、優先的に患者リストの上位に配列されるものとする。
【０１２３】
以上の説明から明らかなように、本実施形態では、各読影医に最適に振り分けられた医用画像を、各読影医が最適な順序に並べ替えることが可能となる。この結果、読影精度を向上させ、見落としを少なくすることが可能となる。
【０１２４】
［他の実施形態］
なお、本発明は、複数の機器（例えばホストコンピュータ、インタフェース機器、リーダ、プリンタなど）から構成されるシステムに適用しても、一つの機器からなる装置（例えば、複写機、ファクシミリ装置など）に適用してもよい。
【０１２５】
また、本発明の目的は、前述した実施形態の機能を実現するソフトウェアのプログラムコードを記録したコンピュータ読取可能な記憶媒体を、システムあるいは装置に供給するよう構成することによっても達成されることはいうまでもない。この場合、そのシステムあるいは装置のコンピュータ（またはＣＰＵやＭＰＵ）が記憶媒体に格納されたプログラムコードを読出し実行することにより、上記機能が実現されることとなる。なお、この場合、そのプログラムコードを記憶した記憶媒体は本発明を構成することになる。
【０１２６】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１２７】
また、コンピュータが読出したプログラムコードを実行することにより、前述した実施形態の機能が実現される場合に限られない。例えば、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１２８】
さらに、記憶媒体から読出されたプログラムコードが、コンピュータに挿入された機能拡張ボードやコンピュータに接続された機能拡張ユニットに備わるメモリに書込まれた後、前述した実施形態の機能が実現される場合も含まれる。つまり、プログラムコードがメモリに書込まれた後、そのプログラムコードの指示に基づき、その機能拡張ボードや機能拡張ユニットに備わるＣＰＵなどが実際の処理の一部または全部を行い、その処理によって実現される場合も含まれる。
【図面の簡単な説明】
【０１２９】
【図１】本発明の第１の実施形態にかかる医用画像処理装置を備える、医用画像処理システム１００の構成を示す図である。
【図２】医用画像処理装置１０１のハードウェア構成を示した図である。
【図３】医用画像処理プログラム２０８により実現される機能を示した機能ブロック図である。
【図４】最小二乗法とベイズ決定則による識別処理について説明するための図である。
【図５】管理部３０３において管理される読影医情報の一例を示す図である。
【図６】選択部３０４における処理の流れを示すフローチャートである。
【図７】読影医決定処理の詳細な処理の流れを示すフローチャートである。
【図８】患者リストの一例を示す図である。
【図９】出力部３０６により表示装置２０４に表示された患者リストの一例を示す図である。
【図１０】患者リストの一例を示す図である。
【図１１】患者リストの一例を示す図である。
【図１２】管理部３０３が管理している読影医情報の一例を示す図である。
【図１３】選択部３０４における処理の流れを示すフローチャートである。
【図１４】読影医決定処理の詳細な処理の流れを示すフローチャートである。
【図１５】本発明の第４の実施形態にかかる医用画像処理プログラムにより実現される機能を示した機能ブロック図である。
【図１６】患者リストの一例を示す図である。
【図１】
0005328146.tif 000002
【図２】
0005328146.tif 000003
【図３】
0005328146.tif 000004
【図４】
0005328146.tif 000005
【図５】
0005328146.tif 000006
【図６】
0005328146.tif 000007
【図７】
0005328146.tif 000008
【図８】
0005328146.tif 000009
【図９】
0005328146.tif 000010
【図１０】
0005328146.tif 000011
【図１１】
0005328146.tif 000012
【図１２】
0005328146.tif 000013
【図１３】
0005328146.tif 000014
【図１４】
0005328146.tif 000015
【図１５】
0005328146.tif 000016
【図１６】
0005328146.tif 000017